(57)【要約】【課題】簡易な手法でオペレータの熟練度を判定し、操作の熟練度に応じたヘルプ情報を自動で操作画面に表示しうる画面表示装置および画像表示方法を提供する。【解決手段】本発明は、自動分析装置１の操作メニューに対応するヘルプ情報を表示部２１の画面上に表示する画像表示装置において、オペレータ毎に自動分析装置１へのログイン回数を蓄積して格納するログイン回数記憶部２４と、前記ログイン回数記憶部２４から自動分析装置１にログインしたオペレータのログイン回数を抽出し、前記ログイン回数に基づき前記オペレータの熟練度を判断する判定部２２と、前記操作メニューに対応するヘルプ情報をオペレータの熟練度毎に個別に格納するヘルプ情報記憶部２５と、前記オペレータの熟練度に応じたヘルプ情報をヘルプ情報記憶手段から抽出し、操作画面に自動的に表示させるよう制御する表示制御部２３と、を備える。【選択図】図１
2011014078.tif 000002
【特許請求の範囲】
【請求項１】
分析装置の操作メニューに対応するヘルプ情報を表示手段の画面上に表示する画像表示装置において、
オペレータ毎に前記分析装置へのログイン回数を蓄積して格納するログイン回数記憶手段と、
前記分析装置へログインしたオペレータのログイン回数を前記ログイン回数記憶手段から抽出し、前記ログイン回数に基づき前記オペレータの熟練度を判定する判定手段と、
前記操作メニューに対応するヘルプ情報をオペレータの熟練度毎に個別に格納するヘルプ情報記憶手段と、
前記判定手段により判定された前記オペレータの熟練度に応じたヘルプ情報をヘルプ情報記憶手段から抽出し、操作画面に自動的に表示させるよう制御する表示制御手段と、
を備えることを特徴とする画像表示装置。
【請求項２】
オペレータ毎に総誤操作回数を蓄積して格納する誤操作回数記憶手段を備え、
前記判定手段は、前記分析装置へログインしたオペレータのログイン回数と総誤操作回数とに基づき、前記オペレータの熟練度を判断することを特徴とする請求項１に記載の画像表示装置。
【請求項３】
分析装置の操作メニューに対応するヘルプ情報を表示手段の画面上に表示する画像表示装置において、
前記操作メニューにおける各操作項目の誤操作回数を蓄積して格納する誤操作項目記憶手段と、
前記分析装置へログインしたオペレータが選択した選択メニューにおける各操作項目の誤操作回数を前記誤操作項目記憶手段から抽出し、抽出した各操作項目の誤操作回数に基づき、誤操作回数が最大の操作項目を決定する誤操作項目決定手段と、
前記操作メニューに対応するヘルプ情報を操作項目毎に格納するヘルプ情報記憶手段と、
誤操作回数が最大の操作項目に対応するヘルプ情報をヘルプ情報記憶手段から抽出し、操作画面に自動的に表示させるよう制御する表示制御手段と、
を備えることを特徴とする画像表示装置。
【請求項４】
前記誤操作項目記憶手段は、オペレータ毎に各操作項目の誤操作回数を蓄積して格納し、
前記誤操作項目決定手段は、前記誤操作項目記憶手段から抽出した前記分析装置へログインしたオペレータの各操作項目の誤操作回数に基づき、誤操作回数が最大の操作項目を決定することを特徴とする請求項３に記載の画像表示装置。
【請求項５】
検体と試薬との反応物を光学的に分析する分析装置において、
請求項１〜４のいずれか一つに記載の画像表示装置を備えることを特徴とする分析装置。
【請求項６】
分析装置の操作メニューに対応するヘルプ情報を表示手段の画面上に表示する画像表示方法において、
前記分析装置へのログイン回数をオペレータ毎に格納するログイン回数記憶手段から、前記分析装置にログインしたオペレータのログイン回数を抽出するログイン回数抽出ステップと、
前記ログイン回数に基づき前記オペレータの熟練度を判定する判定ステップと、
前記操作メニューに対応するヘルプ情報をオペレータの熟練度毎に個別に格納するヘルプ情報記憶手段から、前記判定ステップで判定した前記オペレータの熟練度に応じたヘルプ情報を抽出するヘルプ情報抽出ステップと、
前記ヘルプ情報抽出ステップにより抽出したヘルプ情報を、操作画面に自動的に表示させるよう制御する表示制御ステップと、
を含むことを特徴とする画像表示方法。
【請求項７】
オペレータ毎に総誤操作回数を格納する誤操作回数記憶手段から、前記分析装置へのログインしたオペレータの総誤操作回数を抽出する誤操作回数抽出ステップを含み、
前記判定ステップは、前記ログイン回数と前記総誤操作回数とに基づき前記オペレータの熟練度を判断することを特徴とする請求項６に記載の画像表示方法。
【請求項８】
分析装置の操作メニューに対応するヘルプ情報を表示手段の画面上に表示する画像表示方法において、
前記操作メニューにおける各操作項目の誤操作回数を蓄積して格納する誤操作項目記憶手段から、オペレータが選択した操作メニューにおける誤操作項目の誤操作回数を抽出する誤操作項目抽出ステップと、
前記誤操作項目抽出ステップで抽出された各操作項目の誤操作回数に基づき、誤操作回数が最大の操作項目を決定する誤操作項目決定ステップと、
前記操作メニューに対応するヘルプ情報を操作項目毎に格納するヘルプ情報記憶手段と、
誤操作回数が最大の操作項目に対応するヘルプ情報をヘルプ情報記憶手段から抽出し、操作画面に自動的に表示させるよう制御する表示制御手段と、
を備えることを特徴とする画像表示方法。
【請求項９】
前記誤操作項目抽出ステップは、オペレータ毎に各操作項目の誤操作回数を蓄積して格納する誤操作項目記憶手段から、オペレータが選択した操作メニューにおける前記オペレータの誤操作項目の誤操作回数を抽出し、
前記誤操作項目決定ステップは、前記誤操作項目抽出ステップで抽出した前記オペレータの各操作項目の誤操作回数に基づき、誤操作回数が最大の操作項目を決定することを特徴とする請求項８に記載の画像表示方法。
【発明の詳細な説明】
【技術分野】
【０００１】
本発明は、ヘルプ情報を表示する画像表示装置、分析装置および画像表示方法に関する。
【背景技術】
【０００２】
従来、分析装置において、装置の操作や情報処理操作を行うオペレータを補助するために、操作メニューに対応するヘルプ情報が用意され、オペレータによるヘルプキーの押下によりヘルプ情報を表示手段の操作画面上に表示することにより、オペレータの操作を支援している。
【０００３】
このようなヘルプ情報の表示方法として、レベルの異なる複数の操作ガイド画面を用意し、過去に表示した操作ガイド画面のレベルを記憶して、オペレータから操作ガイドの要求があった場合、記憶された操作ガイド画面のレベルに基づき表示する操作ガイド画面のレベルを決定する表示方法が提案されている（たとえば、特許文献１参照）。
【０００４】
また、保有する各機能の難易度を予め記憶させ、前記各機能の使用頻度を計測して、各機能の難易度と使用頻度に基づき、ヘルプ画面上に表示するヘルプ情報のメニュー組み合わせを変更する画像形成装置が提案されている（たとえば、特許文献２参照）。
【０００５】
さらに、車載用ナビゲーションシステムの操作メニューを表示する表示装置において、操作メニュー画面の切り替え制御を行なう表示制御部と、操作指示を入力する入力部と、操作指示入力までの待ち時間等により習熟度を判定する習熟度判定手段と、習熟度に応じて操作メニュー画面に補助表示を追加表示するよう前記表示制御手段に切換え指示を行なう切り替え手段とを備える操作メニュー切換装置が提案されている（たとえば、特許文献３参照）。
【０００６】
さらにまた、ヘルプ情報を提供する情報処理システムにおいて、利用者のアプリケーションソフト種別毎の習熟度を推定し、これにより能力レベルを判定して、アプリケーションソフト種別毎の能力レベルに応じて格納されたヘルプ情報を抽出し、表示するヘルプ機能制御システムが開示されている（たとえば、特許文献４参照）。
【先行技術文献】
【特許文献】
【０００７】
【特許文献１】特開平５−８８８３２号公報
【特許文献２】特開２００６−１４６７８１号公報
【特許文献３】特開２００５−１８２３１３号公報
【特許文献４】特開２００１−１１７６８８号公報
【発明の開示】
【発明が解決しようとする課題】
【０００８】
しかしながら、特許文献１に記載のものでは、複数のオペレータが当該装置を使用し、かつオペレータの当該装置の習熟度が異なる場合には、過去に表示した操作ガイド画面から最適な操作ガイド画面を選択して表示することは困難である。
【０００９】
また、特許文献２に記載のものでは、難易度および使用頻度に基づきヘルプ情報の表示順序が決定されるため、オペレータの習熟度が均一の場合は操作回数を減らせるものの、習熟度が異なる複数のオペレータが使用する場合には、トータルの操作回数はそれほど低減することはできない。
【００１０】
さらに、特許文献３に記載のものでは、操作指示が入力されるまでの操作待ち時間に基づき、オペレータが操作に不慣れか否かの判断をし、不慣れと判断した場合のみ自動で追加表示をするものであり、習熟度が高いオペレータが必要とする情報を自動で表示するものではない。
【００１１】
さらにまた、特許文献４に記載のものでは、オペレータの習熟度に合わせてヘルプ情報を表示できるものの、オペレータの習熟度の設定のために調査が必要となり、手間がかかるという問題を有していた。
【００１２】
本発明は、上記した従来技術の欠点に鑑みてなされたものであり、簡易な手法でオペレータの熟練度を判定し、前記熟練度に応じたヘルプ情報を自動で操作画面に表示しうる画面表示装置および画像表示方法を提供することを目的とする。
【課題を解決するための手段】
【００１３】
上述した課題を解決し、目的を達成するために、本発明の画面表示装置は、分析装置の操作メニューに対応するヘルプ情報を表示手段の画面上に表示する画像表示装置において、オペレータ毎に前記分析装置へのログイン回数を蓄積して格納するログイン回数記憶手段と、前記分析装置へログインしたオペレータのログイン回数を前記ログイン回数記憶手段から抽出し、前記ログイン回数に基づき前記オペレータの熟練度を判定する判定手段と、前記操作メニューに対応するヘルプ情報をオペレータの熟練度毎に個別に格納するヘルプ情報記憶手段と、前記判定手段により判定された前記オペレータの熟練度に応じたヘルプ情報をヘルプ情報記憶手段から抽出し、操作画面に自動的に表示させるよう制御する表示制御手段と、を備えることを特徴とする。
【００１４】
また、本発明の画面表示装置は、上記発明において、オペレータ毎に総誤操作回数を蓄積して格納する誤操作回数記憶手段を備え、前記判定手段は、前記分析装置へログインしたオペレータのログイン回数と総誤操作回数とに基づき、前記オペレータの熟練度を判断することを特徴とする。
【００１５】
また、本発明の画面表示装置は、分析装置の操作メニューに対応するヘルプ情報を表示手段の画面上に表示する画像表示装置において、前記操作メニューにおける各操作項目の誤操作回数を蓄積して格納する誤操作項目記憶手段と、オペレータが選択した操作メニューにおける各操作項目の誤操作回数を前記誤操作項目記憶手段から抽出し、抽出した各操作項目の誤操作回数に基づき、誤操作回数が最大の操作項目を決定する誤操作項目決定手段と、前記操作メニューに対応するヘルプ情報を操作項目毎に格納するヘルプ情報記憶手段と、誤操作回数が最大の操作項目に対応するヘルプ情報をヘルプ情報記憶手段から抽出し、操作画面に自動的に表示させるよう制御する表示制御手段と、を備える。
【００１６】
また、本発明の画面表示装置は、上記発明において、前記誤操作項目記憶手段は、オペレータ毎に各操作項目の誤操作回数を蓄積して格納し、前記誤操作項目決定手段は、前記誤操作項目記憶手段から抽出した前記分析装置へログインしたオペレータの各操作項目の誤操作回数に基づき、誤操作回数が最大の操作項目を決定することを特徴とする。
【００１７】
また、本発明の分析装置は、検体と試薬との反応物を光学的に分析する分析装置において、上記のいずれか一つに記載の画像表示装置を備えることを特徴とする。
【００１８】
また、本発明の画面表示方法は、分析装置の操作メニューに対応するヘルプ情報を表示手段の画面上に表示する画像表示方法において、前記分析装置へのログイン回数をオペレータ毎に格納するログイン回数記憶手段から、前記分析装置にログインしたオペレータのログイン回数を抽出するログイン回数抽出ステップと、前記ログイン回数に基づき前記オペレータの熟練度を判定する判定ステップと、前記操作メニューに対応するヘルプ情報をオペレータの熟練度毎に個別に格納するヘルプ情報記憶手段から、前記判定ステップで判定した前記オペレータの熟練度に応じたヘルプ情報を抽出するヘルプ情報抽出ステップと、前記ヘルプ情報抽出ステップにより抽出したヘルプ情報を、操作画面に自動的に表示させるよう制御する表示制御ステップと、を含むことを特徴とする。
【００１９】
また、本発明の画面表示方法は、上記発明において、オペレータ毎に総誤操作回数を格納する誤操作回数記憶手段から、前記分析装置へのログインしたオペレータの総誤操作回数を抽出する誤操作回数抽出ステップを含み、前記判定ステップは、前記ログイン回数と前記総誤操作回数とに基づき前記オペレータの熟練度を判断することを特徴とする。
【００２０】
また、本発明の画面表示方法は、分析装置の操作メニューに対応するヘルプ情報を表示手段の画面上に表示する画像表示方法において、前記操作メニューにおける各操作項目の誤操作回数を蓄積して格納する誤操作項目記憶手段から、オペレータが選択した操作メニューにおける誤操作項目の誤操作回数を抽出する誤操作項目抽出ステップと、前記誤操作項目抽出ステップで抽出された各操作項目の誤操作回数に基づき、誤操作回数が最大の操作項目を決定する誤操作項目決定ステップと、前記操作メニューに対応するヘルプ情報を操作項目毎に格納するヘルプ情報記憶手段と、誤操作回数が最大の操作項目に対応するヘルプ情報をヘルプ情報記憶手段から抽出し、操作画面に自動的に表示させるよう制御する表示制御手段と、を備える。
【００２１】
また、本発明の画面表示方法は、上記発明において、前記誤操作項目抽出ステップは、オペレータ毎に各操作項目の誤操作回数を蓄積して格納する誤操作項目記憶手段から、オペレータが選択した操作メニューにおける前記オペレータの誤操作項目の誤操作回数を抽出し、前記誤操作項目決定ステップは、前記誤操作項目抽出ステップで抽出した前記オペレータの各操作項目の誤操作回数に基づき、誤操作回数が最大の操作項目を決定することを特徴とする。
【発明の効果】
【００２２】
本発明によれば、簡易な手法でオペレータの熟練度を総合的に判定して、または個別の操作項目毎に判定して、オペレータの操作の熟練度に応じたヘルプ情報を自動で操作画面に表示することができるので、操作に要する時間の低減が可能となる。
【図面の簡単な説明】
【００２３】
【図１】図１は、本実施の形態１にかかる自動分析装置の構成を示す模式図である。
【図２】図２は、初心者用の帳票印刷ヘルプ情報の一例である。
【図３】図３は、エキスパート用の帳票印刷ヘルプ情報の一例である。
【図４】図４は、初心者用の帳票印刷ヘルプ情報を付加表示した帳票印刷の操作画面の一例である。
【図５】図５は、本発明の実施の形態１にかかるヘルプ情報表示処理のフローチャートである。
【図６】図６は、本発明の実施の形態２にかかる画像表示装置を備える自動分析装置１の概略構成図である。
【図７】図７は、本発明の実施の形態２にかかるヘルプ情報表示処理のフローチャートである。
【図８】図８は、本発明の実施の形態３にかかる画像表示装置を備える自動分析装置１の概略構成図である。
【図９】図９は、本発明の実施の形態３にかかるヘルプ情報表示処理のフローチャートである。
【図１０】図１０は、報告書印刷メニューにおける操作項目毎の誤操作回数情報の一例である。
【図１１】図１１は、誤操作回数が最大の操作項目のヘルプ情報を付加表示した報告書印刷メニューの操作画面の一例である。
【発明を実施するための形態】
【００２４】
以下、図面を参照して、本発明にかかる画像表示装置、および画像表示方法の好適な実施の形態を詳細に説明する。なお、本発明は、これらの実施の形態に限定されるものではなく、本発明の要旨を逸脱しない範囲で種々の変更が可能である。また、図面の記載において、同一部分には同一の符号を付している。
【００２５】
（実施の形態１）
図１は、本発明の実施の形態１にかかる画像表示装置を備える自動分析装置１の概略構成図である。
【００２６】
自動分析装置１は、血球成分を含む血液や尿等の検体を自動分析する装置であり、図１に示すように、第１および第２試薬テーブル２、３、反応テーブル４、第１および第２試薬分注装置６、７、検体容器移送機構８、ラック９、分析光学系１１、洗浄機構１２、第１および第２攪拌装置１３、１４、制御部１５、入力部１６、出力部１７、分析部１８、記憶部１９および検体分注装置２０を備えている。
【００２７】
第１試薬テーブル２は、図１に示すように、第１試薬の試薬容器２ａが周方向に複数配置され、駆動手段により回転されて試薬容器２ａを周方向に搬送する。複数の試薬容器２ａは、それぞれ検査項目に応じた試薬が満たされ、外面には収容した試薬の種類、ロット及び有効期限等の情報を記録した情報記録媒体（図示せず）が付加されている。ここで、第１試薬テーブル２の外周には、試薬容器２ａに付加した情報記録媒体に記録された試薬情報を読み取り、制御部１５へ出力する読取装置１０ａが設置されている。
【００２８】
第１試薬分注装置６は、鉛直方向への昇降および自身の基端部を通過する鉛直線を中心軸とする回転を自在に行なうアーム６ａを備える。このアーム６ａの先端部には、検体の吸引および吐出を行なうプローブ６ｂが取り付けられている。第１試薬分注装置６は、シリンジポンプなどの吸排機構を備える。第１試薬分注装置６は、上述した第１試薬テーブル２上の所定位置に移送された試薬容器２ａの中からプローブ６ｂによって第１試薬を吸引し、アーム６ａを図中時計回りに旋回させ、反応容器５に第１試薬を吐出して分注を行なう。
【００２９】
第２試薬テーブル３は、図１に示すように、第２試薬の試薬容器３ａが周方向に複数配置され、駆動手段により回転されて試薬容器３ａを周方向に搬送する。複数の試薬容器３ａは、それぞれ検査項目に応じた試薬が満たされ、外面には収容した試薬の種類、ロット及び有効期限等の情報を記録した情報記録媒体（図示せず）が付加されている。ここで、第２試薬テーブル３の外周には、試薬容器３ａに付加した情報記録媒体に記録された試薬情報を読み取り、制御部１５へ出力する読取装置１０ｂが設置されている。
【００３０】
第２試薬分注装置７は、鉛直方向への昇降および自身の基端部を通過する鉛直線を中心軸とする回転を自在に行なうアーム７ａを備える。このアーム７ａの先端部には、検体の吸引および吐出を行なうプローブ７ｂが取り付けられている。第２試薬分注装置７は、シリンジポンプなどの吸排機構を備える。第２試薬分注装置７は、上述した第２試薬テーブル３上の所定位置に移送された試薬容器３ａの中からプローブ７ｂによって第２試薬を吸引し、アーム７ａを図中反時計回りに旋回させ、反応容器５に第２試薬を吐出して分注を行なう。
【００３１】
反応テーブル４は、図１に示すように、複数の反応容器５が周方向に沿って配列されており、第１および第２試薬テーブル２、３を駆動する駆動手段とは異なる駆動手段によって矢印で示す方向に回転されて反応容器５を周方向に移動させる。反応テーブル４は、光源１１ａと分光部１１ｂとの間に配置され、反応容器５を保持する保持部４ａと光源１１ａが出射した光束を分光部１１ｂへ導く円形の開口からなる光路４ｂとを有している。保持部４ａは、反応テーブル４の外周に周方向に沿って所定間隔で配置され、保持部４ａの内周側に半径方向に延びる光路４ｂが形成されている。
【００３２】
反応容器５は、分析光学系１１から出射された分析光（３４０〜８００ｎｍ）に含まれる光の８０％以上を透過する光学的に透明な素材、例えば、耐熱ガラスを含むガラス、環状オレフィンやポリスチレン等によって四角筒状に成形されたキュベットと呼ばれる容器である。反応容器５は、近傍に設けた第１および第２試薬分注装置６、７によって第１および第２試薬テーブル２、３の試薬容器２ａ、３ａから試薬が分注される。ここで、第１および第２試薬分注装置６、７は、それぞれ水平面内を回動すると共に、上下方向に昇降されるアーム６ａ、７ａに試薬を分注するプローブ６ｂ、７ｂが設けられ、洗浄水によってプローブ６ｂ、７ｂを洗浄する洗浄槽（図示せず）を有している。
【００３３】
検体容器移送機構８は、図１に示すように、配列された複数のラック９を矢印方向に沿って１つずつ歩進させながら移送する。ラック９は、検体を収容した複数の検体容器９ａを保持している。ここで、検体容器９ａは、収容した検体の情報を記録したバーコード等が貼付され、検体容器移送機構８によって移送されるラック９の歩進が停止するごとに、検体分注装置２０によって検体が各反応容器５へ分注される。血糖やヘモグロビンＡ１ｃを分析項目とする血液検体は、予め検体容器９ａに収容された状態で遠心分離が行なわれ、血漿層と血球層に分離された血液サンプルから血漿サンプルと血球サンプルが分析項目に応じて個別に分注される。ここで、ラックの外周には、検体容器９ａに貼付された情報記録媒体（図示せず）に記録された、検体情報や検体容器９ａの容器情報を読み取り、制御部１５へ出力する読取装置１０ｃが設置されている。
【００３４】
検体分注装置２０は、鉛直方向への昇降および自身の基端部を通過する鉛直線を中心軸とする回転を自在に行なうアーム２０ａを備える。このアーム２０ａの先端部には、検体の吸引および吐出を行なうプローブ２０ｂが取り付けられている。検体分注装置２０は、シリンジポンプなどの吸排機構を備える。検体分注装置２０は、検体容器移送機構８により分注位置に移送された検体容器９ａの中からプローブ２０ｂによって検体を吸引し、アーム２０ａを図中時計回りに旋回させ、反応容器５に検体を吐出して分注を行なう。
【００３５】
分析光学系１１は、試薬と検体とが反応した反応容器５内の液体試料に分析光（３４０〜８００ｎｍ）を透過させて分析するための光学系であり、光源１１ａ、分光部１１ｂ及び受光部１１ｃを有している。光源１１ａから出射された分析光は、反応容器５内の液体試料を透過し、分光部１１ｂと対向する位置に設けた受光部１１ｃによって受光される。受光部１１ｃは、制御部１５と接続されている。
【００３６】
洗浄機構１２は、ノズル１２ａによって反応容器５内の液体試料を吸引して排出した後、ノズル１２ａによって洗剤や洗浄水等の洗浄液等を繰り返し注入し、吸引することにより、分析光学系１１による分析が終了した反応容器５を洗浄する。
【００３７】
第１および第２攪拌装置１３、１４は、分注された検体と試薬とを攪拌棒１３ａ、１４ａによって攪拌し、反応を促進させる。
【００３８】
制御部１５は、第１および第２試薬テーブル２、３、第１および第２試薬分注装置６、７、検体容器移送機構８、分析光学系１１、洗浄機構１２、第１および第２攪拌装置１３、１４、入力部１６、出力部１７、分析部１８、記憶部１９および検体分注装置２０等と接続される。これら各部の作動を制御するため、制御部１５には、マイクロコンピュータ等が使用される。制御部１５は、受光部１１ｃから入力される波長ごとの光量信号をもとに各反応容器５内の液体試料の波長ごとの吸光度を求め、検体の成分濃度等を分析する。また、制御部１５は、試薬容器２ａ、３ａに付加した情報記録媒体から読み取った情報に基づき、試薬のロットが異なる場合や有効期限外等の場合に分析作業を停止するように自動分析装置１を制御し、或いはオペレータに警報を発する。また、制御部１５は、判定部２２と、表示制御部２３を備える。判定部２２は、後述するログイン回数記憶部２４から抽出したログイン回数に基づきオペレータの熟練度を判定する。表示制御部２３は、判定部２２により判定されたオペレータの熟練度に応じたヘルプ情報を後述するヘルプ情報記憶部２５から抽出し、表示部２１の表示される操作画面に自動的に表示させる。
【００３９】
入力部１６は、キーボード、マウス等を用いて構成され、検体の分析に必要な諸情報や分析動作の指示情報等を外部から取得する。出力部１７は、プリンタ、スピーカー等を用いて構成され、制御部１５の制御のもと、分析に関する諸情報を出力する。出力部１７は、ディスプレイ等を用いて構成された表示部２１を備え、表示部２１はタッチパネルによって実現するようにしてもよい。分析部１８は、分析光学系１１から取得した測定結果に基づいて吸光度等を演算し、検体の成分分析等を行う。記憶部１９は、情報を磁気的に記憶するハードディスクと、自動分析装置１が処理を実行する際にその処理にかかわる各種プログラムをハードディスクからロードして電気的に記憶するメモリとを用いて構成され、検体の分析結果等を含む諸情報を記憶する。記憶部１９は、ＣＤ−ＲＯＭ、ＤＶＤ−ＲＯＭ、ＰＣカード等の記憶媒体に記憶された情報を読み取ることができる補助記憶装置を備えてもよい。また、記憶部１９は、ログイン回数記憶部２４と、ヘルプ情報記憶部２５とを備える。
【００４０】
ログイン回数記憶部２４は、オペレータの自動分析装置１へのログイン回数を個別に蓄積して格納する。自動分析装置１を操作するオペレータは、自動分析装置１で分析を開始するに際し、ユーザＩＤおよびパスワード等を入力部１６により入力するログイン手続きを行なう。このログイン回数をオペレータ毎に個別に蓄積してログイン回数記憶部２４に格納する。判定部２２は、ログイン回数記憶部２４に格納されたオペレータのログイン回数に基づき、オペレータの熟練度を判断する。ログイン回数が大きいほど熟練度が高くなるため、ロフイン回数に基づく閾値を設定し、閾値以上であれば熟練者、閾値未満であれば初心者と判定する。ヘルプ情報記憶手段２５は、操作メニューに対応するヘルプ情報をオペレータの熟練度毎に個別に格納する。
【００４１】
図２は、初心者用の帳票印刷ヘルプ情報の一例である。図３は、熟練者用の帳票印刷ヘルプ情報の一例である。ヘルプ情報記憶手段２５は、図２および図３に示すように、個々の操作メニューに対応するヘルプ情報を、オペレータの習熟度毎、例えば、初心者用および熟練者用に個別に格納する。初心者用は、一連の操作がステップバイステップで判るような内容とし、熟練者用は操作説明を省略して応用的な操作の手順を表示する。
【００４２】
たとえば、判定部２２は、ログインしたオペレータのユーザＩＤに基づき、オペレータのログイン回数をログイン回数記憶部２４から抽出し、ログイン回数に基づき熟練度を判定する。判定部２２が初心者と判定した場合には、表示制御部２３は、オペレータが帳票印刷の操作メニューを選択表示する際に、図４に示すように、初心者用の帳票印刷ヘルプ情報をヘルプ情報記憶手段２５から抽出し、帳票印刷の操作画面に自動的に表示するよう制御する。図４は、初心者用の帳票印刷ヘルプ情報（表示欄５０１）を付加表示した帳票印刷の操作画面の一例である。判定部２２が熟練者と判定した場合には、図４の表示欄５０１で示される初心者用の帳票印刷ヘルプ情報が、図３に示す熟練者用の帳票印刷ヘルプ上表を付加表示した帳票印刷の操作画面が表示部２１に表示される。
【００４３】
以上のように構成された自動分析装置１では、列をなして順次搬送される複数の反応容器５に対して、第１試薬分注装置６が試薬容器２ａ中の第１試薬を分注した後、検体分注装置２０が検体容器９ａ中の検体を分注し、さらに第２試薬分注装置７が試薬容器３ａ中の第２試薬を分注して、分析光学系１１が検体と試薬とを反応させた状態の試料の分光強度測定を行い、この測定結果を分析部１８が分析することで、検体の成分分析等が自動的に行われる。また、洗浄機構１２が分析光学系１１による測定が終了した後に反応容器５を搬送させながら洗浄することで、一連の分析動作が連続して繰り返し行われる。
【００４４】
次に、本発明の実施の形態１にかかるヘルプ情報表示処理について、図５を参照して説明する。図５は、本発明の実施の形態１にかかるヘルプ情報表示処理のフローチャートである。
【００４５】
図５に示すように、自動分析装置１の電源入力後、オペレータはユーザＩＤおよびパスワードを入力してログイン処理を行う（ステップＳ１０１）。ログイン処理後、判定部２２は、ユーザＩＤを基にオペレータのログイン回数をログイン回数記憶部２４から抽出し（ステップＳ１０２）、抽出したログイン回数ｎが閾値Ａ以上であるか否か判定する（ステップＳ１０３）。判定部２２は、ログイン回数ｎが閾値Ａ以上である場合（ステップＳ１０３、Ｙｅｓ）、オペレータが熟練者と判定し（ステップＳ１０４）、ログイン回数ｎが閾値Ａ未満である場合（ステップＳ１０３、Ｎｏ）、オペレータが初心者と判定する（ステップＳ１０５）。判定終了後、オペレータのログイン回数をｎ＋１としてログイン回数記憶部に格納する（ステップＳ１０６）。
【００４６】
続いて、オペレータが入力部１６により操作メニューの選択を行なったか否かを確認する（ステップＳ１０７）。操作メニューの選択が行なわれない場合（ステップＳ１０７、Ｎｏ）、操作メニューが選択されるまで待機する。一方、操作メニューの選択が行なわれた場合（ステップＳ１０７、Ｙｅｓ）、選択された操作メニューにヘルプ情報があるか否か確認する（ステップＳ１０８）。操作メニューにヘルプ情報がない場合（ステップＳ１０８、Ｎｏ）、新たに操作メニューが選択されるまで待機する。一方、操作メニューにヘルプ情報がある場合（ステップＳ１０８、Ｙｅｓ）、オペレータの熟練度を確認する（ステップＳ１０９）。オペレータが初心者の場合（ステップＳ１０９、Ｎｏ）、表示制御部２３は、ヘルプ情報記憶部２５から初心者用のヘルプ情報を抽出し、操作画面に初心者用のヘルプ情報を付加して表示する（ステップＳ１１１）。一方、オペレータが熟練者の場合（ステップＳ１０９、Ｙｅｓ）、表示制御部２３は、ヘルプ情報記憶部２５から熟練者用のヘルプ情報を抽出し、操作画面に熟練者用のヘルプ情報を付加して表示する（ステップＳ１１０）。その後、電源オフ処理が選択されたか否か確認し（ステップＳ１１２）、電源オフが選択されていない場合は（ステップＳ１１２、Ｎｏ）、ステップＳ１０７から繰り返される。電源オフが選択された場合は（ステップＳ１１２、Ｙｅｓ）、ヘルプ情報表示処理を終了する。
【００４７】
実施の形態１では、オペレータのログイン回数を蓄積して格納し、該ログイン回数に基づきオペレータの熟練度を判定しているので、簡易にオペレータの熟練度の判定を行なうことができ、オペレータの操作の熟練度に応じたヘルプ情報を自動で操作画面に表示することができるので、操作に要する時間の低減が可能となる。
【００４８】
（実施の形態２）
実施の形態２は、オペレータが過去に起こした操作ミスを記憶させ、オペレータの熟練度の判定を誤操作回数の合計に基づき判定する。熟練度を判定する誤操作回数の閾値は、オペレータのログイン回数に比例させるよう設定することにより、オペレータの熟練度の判定をより的確に行なうことが可能となり、オペレータが求める情報を１回で表示する可能性が高くなる。
【００４９】
図６は、本発明の実施の形態２にかかる画像表示装置を備える自動分析装置１Ａの概略構成図である。図７は、本発明の実施の形態２にかかるヘルプ情報表示処理のフローチャートである。
【００５０】
図６に示すように、実施の形態２にかかる画像表示装置を備える自動分析装置１Ａの記憶部１９Ａは、ログイン回数記憶部２４、およびヘルプ情報記憶部２５に加えて、誤操作回数記憶部２６を備える。誤操作回数記憶部２６は、オペレータの総誤操作回数を個別に蓄積して格納する。また、判定部２２Ａは、誤操作回数記憶部２６に格納される総誤操作回数に基づき各オペレータの熟練度を判定する。
【００５１】
実施の形態２にかかる自動分析装置１Ａでは、図７に示すように、自動分析装置１Ａの電源入力後、オペレータはユーザＩＤおよびパスワードを入力してログイン処理を行った後（ステップＳ２０１）、判定部２２Ａは、ユーザＩＤを基にオペレータのログイン回数ｎおよび総誤操作回数ｍをログイン回数記憶部２４および誤操作回数記憶部２６からそれぞれ抽出し（ステップＳ２０２）、総誤操作回数ｍが閾値（ａ×ｎ＋ｂ）未満であるか否か判定する（ステップＳ２０３）。ここで、閾値（ａ×ｎ＋ｂ）は、ログイン回数ｎに比例するものであり、ａおよびｂは補正係数である。総誤操作回数ｍによってオペレータの熟練度を判定することにより、より的確な熟練度の判定が可能となる。
【００５２】
総誤操作回数ｍが閾値（ａ×ｎ＋ｂ）未満である場合（ステップＳ２０３、Ｙｅｓ）、オペレータは熟練者と判定し（ステップＳ２０４）、総誤操作回数ｍが閾値（ａ×ｎ＋ｂ）以上である場合（ステップＳ２０３、Ｎｏ）、オペレータは初心者と判定する（ステップＳ２０５）。判定終了後、オペレータのログイン回数をｎ＋１としてログイン回数記憶部に格納する（ステップＳ２０６）。
【００５３】
続いて、オペレータが入力部１６により操作メニューの選択を行なったか否かを確認すし（ステップＳ２０７）、操作メニューの選択が行なわれない場合（ステップＳ２０７、Ｎｏ）、操作メニューが選択されるまで待機する。一方、操作メニューの選択が行なわれた場合（ステップＳ２０７、Ｙｅｓ）、選択された操作メニューにヘルプ情報があるか否か確認する（ステップＳ２０８）。操作メニューにヘルプ情報がない場合（ステップＳ２０８、Ｎｏ）、新たに操作メニューが選択されるまで待機する。一方、操作メニューにヘルプ情報がある場合（ステップＳ２０８、Ｙｅｓ）、オペレータの熟練度を確認する（ステップＳ２０９）。オペレータが初心者の場合（ステップＳ２０９、Ｎｏ）、表示制御部２３は、ヘルプ情報記憶部２５から初心者用のヘルプ情報を抽出し、操作画面に初心者用のヘルプ情報を付加して表示する（ステップＳ２１１）。一方、オペレータが熟練者の場合（ステップＳ２０９、Ｙｅｓ）、表示制御部２３は、ヘルプ情報記憶部２５から熟練者用のヘルプ情報を抽出し、操作画面に熟練者用のヘルプ情報を付加して表示する（ステップＳ２１０）。その後、電源オフ処理が選択されたか否か確認し（ステップＳ２１２）、電源オフが選択されていない場合は（ステップＳ２１２、Ｎｏ）、ステップＳ２０７から繰り返される。電源オフが選択された場合は（ステップＳ２１２、Ｙｅｓ）、今回の操作で誤操作があったか否かを確認し（ステップＳ２１３）、誤操作があった場合は（ステップＳ２１３、Ｙｅｓ）、総誤操作回数ｍに今回誤操作した回数ｃを加算した（ｍ＋ｃ）を総誤操作回数として格納し（ステップＳ２１４）、その後ヘルプ情報表示処理を終了する。誤操作がない場合も（ステップＳ２１３、Ｎｏ）、そのままヘルプ情報表示処理を終了する。
【００５４】
実施の形態２では、オペレータの熟練度の判定を総誤操作回数に基づき判定するため、より的確な熟練度の判定を行なうことが可能となり、オペレータが求める情報を１回で精度よく表示する可能性が高くなる。
【００５５】
（実施の形態３）
実施の形態３は、オペレータが過去に起こした操作ミスを操作項目毎に蓄積して記憶させ、操作メニューに応じて総誤操作回数が最大の操作項目を決定して、該操作項目に対応するヘルプ情報を抽出して操作画面上に自動的に表示する。これにより、オペレータのニーズに応じたヘルプ情報を１回で簡潔に表示する可能性が高くなり、操作に要する時間が低減できる。
【００５６】
図８は、本発明の実施の形態３にかかる画像表示装置を備える自動分析装置１Ｂの概略構成図である。図９は、本発明の実施の形態３にかかるヘルプ情報表示処理のフローチャートである。
【００５７】
図８に示すように、実施の形態３にかかる画像表示装置を備える自動分析装置１Ｂの記憶部１９Ｂは、ログイン回数記憶部２４に替えて、操作メニューにおける各操作項目の誤操作回数を蓄積して格納する誤操作項目記憶部２７を備える。また、制御部１５Ｂは、判定部２２に替えて、誤操作項目記憶部２７に記憶された各操作項目の誤操作回数に基づき、誤操作回数が最大の操作項目を決定する誤操作項目決定部２８を備える。
【００５８】
図９に示すように、自動分析装置１Ｂの電源入力後、オペレータはユーザＩＤおよびパスワードを入力してログイン処理を行う（ステップＳ３０１）。ログイン処理後、オペレータが入力部１６により操作メニューの選択を行なったか否かを確認する（ステップＳ３０２）。操作メニューの選択が行なわれない場合（ステップＳ３０２、Ｎｏ）、操作メニューが選択されるまで待機する。一方、操作メニューの選択が行なわれた場合（ステップＳ３０２、Ｙｅｓ）、誤操作項目決定部２８は、誤操作項目記憶部２７から、オペレータの選択した操作メニューにおける各操作項目の誤操作回数を抽出する（ステップＳ３０３）。各操作項目の誤操作回数は、例えば、図１０に示すように、操作メニュー毎に誤操作項目記憶部２７に格納される。
【００５９】
続いて、誤操作項目決定部２８は、抽出した各操作項目の誤操作回数に基づき、誤操作回数が最大の操作項目を決定する（ステップＳ３０４）。図１０は、報告書印刷メニューにおける操作項目毎の誤操作回数情報の一例であるが、これによれば、誤操作項目決定部２８は、「バッチ報告書のチェックボックスをチェック」を最も誤操作回数の多い操作項目として決定する。誤操作回数が最大の操作項目の決定後（ステップＳ３０４）、表示制御部２３は、該操作項目に応じたヘルプ情報をヘルプ情報記憶部２５から抽出し（ステップＳ３０５）、操作画面に抽出したヘルプ情報を付加して表示するよう制御する（ステップＳ３０６）。図１１は、誤操作回数が最大の操作項目のヘルプ情報を付加表示した報告書印刷メニューの操作画面の一例である。表示欄５０２が誤操作回数が最大の操作項目「バッチ報告書のチェックボックスをチェック」に対応するヘルプ情報である。誤操作回数が最大の操作項目のヘルプ情報のみ表示するため、ヘルプ情報は簡潔であり、オペレータがヘルプ情報を確認する時間も低減できる。
【００６０】
その後、電源オフ処理が選択されたか否か確認し（ステップＳ３０７）、電源オフが選択されていない場合は（ステップＳ３０７、Ｎｏ）、ステップＳ３０２から繰り返される。電源オフが選択された場合は（ステップＳ３０７、Ｙｅｓ）、ヘルプ情報表示処理を終了する。
【００６１】
実施の形態３は、オペレータが過去に起こした操作ミスを操作項目毎に蓄積して記憶させ、操作メニューに応じて誤操作回数が最大の操作項目を決定して、該操作項目に対応するヘルプ情報を抽出して操作画面上に自動的に表示するため、オペレータのニーズに応じたヘルプ情報の表示が可能となり、操作に要する時間が低減できるものである。なお、誤操作項目記憶部２７に記憶させる操作項目毎の誤操作回数は、オペレータ毎に蓄積して、記憶させてもよい。オペレータ毎に各操作項目の誤操作回数を記憶させ、誤操作項目決定部２８は、オペレータに応じて誤操作回数が最大の操作項目を決定することにより、よりオペレータが欲するヘルプ情報の表示が可能となる。
【産業上の利用可能性】
【００６２】
以上のように、本発明にかかる画像表示装置、および画像表示方法は、高速かつ大量での分析処理が要求される分析装置に有用であり、分析装置の熟練度が異なる複数のオペレータの利用に供する分析装置に適する。
【符号の説明】
【００６３】
１、１Ａ      自動分析装置
２、３        第１および第２試薬テーブル
２ａ、３ａ    試薬容器
４            反応テーブル
４ａ          保持部
４ｂ          光路
５            反応容器
６、７        第１および第２試薬分注装置
６ａ、７ａ、２０ａ  アーム
６ｂ、７ｂ、２０ｂ  プローブ
８            検体容器移送機構
９            ラック
９ａ          検体容器
１０ａ、１０ｂ、１０ｃ  読取装置
１１          分析光学系
１２          洗浄機構
１３、１４    第１および第２攪拌装置
１５、１５Ａ  制御部
１６          入力部
１７          出力部
１８          分析部
１９、１９Ａ  記憶部
２０          検体分注装置
２１          表示部
２２          判定部
２３          表示制御部
２４          ログイン回数記憶部
２５          ヘルプ情報記憶部
２６          誤操作回数記憶部
２７          誤操作項目記憶部
２８          誤操作項目決定部
【図１】
2011014078.tif 000003
【図２】
2011014078.tif 000004
【図３】
2011014078.tif 000005
【図４】
2011014078.tif 000006
【図５】
2011014078.tif 000007
【図６】
2011014078.tif 000008
【図７】
2011014078.tif 000009
【図８】
2011014078.tif 000010
【図９】
2011014078.tif 000011
【図１０】
2011014078.tif 000012
【図１１】
2011014078.tif 000013